(57)【特許請求の範囲】
【請求項１】
取付ブラケットと、取付ブラケットに取り付けられる本体と、取付ブラケットと本体の間に区画された取付部と、当該取付部に差し込まれる差込具とを含む筐体の取付構造であって、
取付ブラケットには、取付時に本体と対向する面側の一端および他端に、それぞれ、外方へ曲成したフック状の嵌合用の突起が形成されており、
本体には、取付時に取付ブラケットに対向する底面側の一端および他端に、それぞれ、前記嵌合用の突起を受け入れる受入凹部、および、当該受入凹部に連設され、前記嵌合用の突起が受入凹部に受け入れられた後本体が取付ブラケットに対して嵌合用の突起を結ぶ方向と交差する取付方向へ変位されることにより前記嵌合用の突起と係合する係合凹部が形成されており、
前記差込具は、前記嵌合用の突起および係合凹部の係合位置に向かって前記取付方向に対して交差する方向へ差し込まれるものであり、差し込まれた状態において前記取付部から外方へ突出せず、前記嵌合用の突起および係合凹部の係合が前記所定方向へずれるのを阻止するための抑制部が備えられていることを特徴とする筐体の取付構造。
【請求項２】
外へ向かって延びる平板状の肩部が設けられ、
前記嵌合用の突起は、前記肩部の両側に、肩部の面方向に直交方向に立ち上がり、且つ外方へ曲成した一対のフック状突起を含むことを特徴とする請求項１記載の筐体の取付構造。
【請求項３】
前記差込具の抑制部は、差込具が差し込まれた状態において、前記肩部が本体に対して前記所定方向へずれないように、前記肩部の両側方と係合する一対の突部を含むことを特徴とする請求項２記載の筐体の取付構造。
【請求項４】
取付時に本体と対向する前記取付ブラケットの一端および他端には、それぞれ、前記差込具係止用の凸部が形成されており、
前記差込具には、差し込まれた状態において、前記係止用の凸部と係合する弾性を有する被係止部が備えられていることを特徴とする請求項１〜３のいずれかに記載の筐体の取付構造。
【請求項５】
前記差込具には、差し込まれた状態において、本体に係合して本体の底面側から離れる方向へ差込具が移動するのを防止するための一対の支持部が備えられていることを特徴とする請求項１〜４のいずれかに記載の筐体の取付構造。
【請求項６】
前記嵌合用の突起は、前記取付ブラケットから前記本体方向に立ち上がり、先端が、立ち上がり方向から交差方向へ曲成したフック状突起を含むことを特徴とする請求項１記載の筐体の取付構造。
【請求項７】
前記差込具の抑制部は、差し込まれた状態で前記受入凹部を塞ぐように延びる胴体を含むことを特徴とする請求項６記載の筐体の取付構造。
【請求項８】
前記差込具は、前記胴体に並設され反差込方向へ外れないように係止する弾性部を含むことを特徴とする請求項１，６，７のいずれかに記載の筐体の取付構造。
【請求項９】
前記取付ブラケットは、本体の底面に対向する面板を有し、当該面板には、本体の底面側に向かって弾性力を有する弾性体が備えられていることを特徴とする請求項１〜８のいずれかに記載の筐体の取付構造。
【請求項１０】
前記弾性体は、取付ブラケットの面板の一部が切り起こされて形成されていることを特徴とする請求項９記載の筐体の取付構造。
【請求項１１】
前記取付ブラケットの面板には、切り起こして形成された取付用の台座が設けられていることを特徴とする請求項９または１０記載の筐体の取付構造。
【発明の詳細な説明】
【技術分野】
【０００１】
この発明は、筐体の取付構造に関する。
【背景技術】
【０００２】
例えば、筐体の取付構造の先行技術として、特許文献１に開示されたものがある。特許文献１に開示の技術は、筐体の背面に突設されたフックを、車体に形成された開口部の縁に位置決めし弾力的に引っ掛けるという構成である。この構成では、筐体の正面側に取付用のボルト孔やボルトが露出しないため、筐体の形状がすっきりするという特徴がある。
【先行技術文献】
【特許文献】
【０００３】
【特許文献１】特開２０００−１１８２９１号公報
【発明の概要】
【発明が解決しようとする課題】
【０００４】
しかし、特許文献１に記載の取付構造では、車体に取り付けられた筐体を取り外す場合に、車体の内側からフックを解除操作する必要があるので、取り外しに手間がかかる。また、フックを車体に引っ掛けるために、車体に開口を形成しなければならない。さらに、フックのみによる係合では、外力に対する振動やガタが生じるため、位置決め用の孔等の追加が必須である。
【０００５】
この発明は、このような従来技術に鑑みてなされたもので、主たる目的は、本体を容易に着脱可能な筐体の取付構造を提供することである。
この発明の他の目的は、本体を取付位置に対して正面側からの作業のみによって取り付け、取り外しができる筐体の取付構造を提供することである。
この発明のさらに他の目的は、本体の正面側や側面側に、取付孔や取付ねじ等が露出せず、本体をすっきりしたデザインにできる筐体の取付構造を提供することである。
【課題を解決するための手段】
【０００６】
請求項１記載の発明は、取付ブラケットと、取付ブラケットに取り付けられる本体と、取付ブラケットと本体の間に区画された取付部と、当該取付部に差し込まれる差込具とを含む筐体の取付構造であって、取付ブラケットには、取付時に本体と対向する面側の一端および他端に、それぞれ、外方へ曲成したフック状の嵌合用の突起が形成されており、本体には、取付時に取付ブラケットに対向する底面側の一端および他端に、それぞれ、前記嵌合用の突起を受け入れる受入凹部、および、当該受入凹部に連設され、前記嵌合用の突起が受入凹部に受け入れられた後本体が取付ブラケットに対して嵌合用の突起を結ぶ方向と交差する取付方向へ変位されることにより前記嵌合用の突起と係合する係合凹部が形成されており、前記差込具は、前記嵌合用の突起および係合凹部の係合位置に向かって前記取付方向に対して交差する方向へ差し込まれるものであり、差し込まれた状態において前記取付部から外方へ突出せず、前記嵌合用の突起および係合凹部の係合が前記所定方向へずれるのを阻止するための抑制部が備えられていることを特徴とする。
【０００７】
この発明によれば、取付面に固定した取付ブラケットに本体を取り付けるには、本体を取付ブラケットに位置合わせし、嵌合用の突起が、受け入れ凹部に入るように嵌める。そして、所定方向、例えば、本体側の長手方向に直交する方向に本体をスライド変位させる。その後、差込具を、取付ブラケットおよび本体の間に区画された取付部に差し込む。
これら作業は、すべて筐体の取付面から見て正面側からの作業であり、取付ブラケットに対し本体を容易に取り付けることができる。また、取り外すには、逆の作業をすればよい。この発明では、取付ブラケットを本体に取り付けるために、嵌合用の突起と係合凹部と差込具とを用いている。このため、取付ブラケットを本体に取り付ける為の取付用のボルトは不要で、本体にボルト孔を形成する必要はない。従って、本体をすっきりしたデザインにできる。
【０００８】
請求項２記載の構成では、取付時に本体と対向する前記取付ブラケットの一端および他端には、それぞれ、外へ向かって延びる平板状の肩部が設けられ、前記嵌合用の突起は、前記肩部の両側に、肩部の面方向に直交方向に立ち上がり、且つ外方へ曲成した一対のフック状突起を含んでいる。
このため、複数のフック状突起により本体を安定して取り付けることができる。また、簡素な構造のフック状突起および肩部を、本体の取り付けに利用するため、製造コストを削減できる。
【０００９】
請求項３記載の構成では、前記差込具の抑制部は、差込具が差し込まれた状態において、前記肩部が本体に対して前記所定方向へずれないように、前記肩部の両側方と係合する一対の突部を含んでいる。
よって、抑制部を単純な構造にできる。
請求項４記載の構成では、取付時に本体と対向する前記取付ブラケットの一端および他端には、それぞれ、前記差込具係止用の凸部が形成されており、前記差込具には、差し込まれた状態において、前記係止用の凸部と係合する弾性を有する被係止部が備えられている。
【００１０】
この場合、被係止部の弾性を利用して、差込具を取付ブラケットに係止することができる。
請求項５記載の構成では、前記差込具には、差し込まれた状態において、本体に係合して本体の底面側から離れる方向へ差込具が移動するのを防止するための一対の支持部が備えられている。
【００１１】
よって、取付ブラケットと本体をより確実に互いに取り付けることができる。
請求項６記載の構成では、前記嵌合用の突起は、前記取付ブラケットから前記本体方向に立ち上がり、先端が、立ち上がり方向から交差方向へ曲成したフック状突起を含んでいる。
このフック状突起により本体を取り付けることができる。また、簡素な構造のフック状突起を、本体の取り付けに利用するため、製造コストを削減できる。
【００１２】
請求項７記載の構成では、前記差込具の抑制部は、前記抑制部として、差し込まれた状態で前記受入凹部を塞ぐように延びる胴体を含んでいる。
差込具の胴体が受入凹部を塞ぐので、係合凹部と係合した嵌合用の突起が受入凹部に戻ることが防止される。従って、嵌合用の突起および係合凹部の係合が所定方向へずれることが阻止される。差込具を単純な構造にできる。
【００１３】
請求項８記載の構成では、前記差込具は、前記胴体に並設され反差込方向へ外れないように係止する弾性部を含んでいる。
弾性部の弾性を利用して、差込具が取付部から反差込方向に外れることを確実に防止することができる。
請求項９記載の構成では、前記取付ブラケットは、本体の底面に対向する面板を有し、当該面板には、本体の底面側に向かって弾性力を有する弾性体が備えられている。
【００１４】
弾性体が本体を押圧するので、取付ブラケットと本体とをがたつきなく互いに取り付けることができる。
請求項１０記載の構成では、前記弾性体は、取付ブラケットの面板の一部が切り起こされて形成されている。
よって、弾性体を簡素な構造で実現できる。
【００１５】
請求項１１記載の構成では、前記取付ブラケットの面板には、切り起こして形成された取付用の台座が設けられている。
この構成によれば、取付ブラケットの取り付け対象がたとえ湾曲している場合でも、台座を取り付け対象に弾力的に確実に固定できる。
【図面の簡単な説明】
【００１６】
【図１】図１は、この発明の一実施形態に係る取付構造が採用された警告灯１の斜視図（組み立てた状態）である。
【図２】図２は、取付ブラケット３の斜視図である。
【図３】図３は、車体側面６に固定された取付ブラケット３に本体４が取り付けられた状態の部分断面図である。
【図４】図４は、差込具５の斜視図であり、（ａ）および（ｂ）に互いに異なる視点からの斜視図を示す。
【図５】図５は、取付ブラケット３と差込具５との斜視図であり、これらが互いに取り付けられた状態を示す。
【図６】図６は、警告灯１の要部の分解斜視図である。
【図７】図７は、本体４が取付ブラケット３に取り付けられた状態の部分断面斜視図である。
【図８】図８は、この発明の他の実施形態に係る取付構造が採用された警告灯１０１の斜視図（組み立てた状態）である。
【図９】図９は、取付ブラケット１０３の斜視図である。
【図１０】図１０は、差込具１０５の斜視図であり、（ａ）および（ｂ）に互いに異なる視点からの斜視図を示す。
【図１１】図１１は、警告灯１０１の要部の分解斜視図である。
【図１２】図１２は、取付ブラケット１０３と本体１０４と差込具１０５との斜視図であり、これらが互いに取り付けられた状態を示す。
【発明を実施するための形態】
【００１７】
この発明において、筐体とは、警告灯、回転警告灯、信号報知表示灯、照明装置、音声報知器、文字表示器などに使用され、外形を構成するケースまたははことしての筐体をいう。以下では、この発明の実施の形態を、この発明の筐体が使用される警告灯について添付図面を参照して詳細に説明する。
図１は、この発明の一実施形態に係る取付構造が採用された警告灯１の斜視図（組み立てた状態）である。図１を参照して、警告灯１は、取付ブラケット３と、取付ブラケット３に取り付けられた本体４と、取付ブラケット３と本体４との間に区画された取付部９に差し込まれた一対の差込具５とを有している。一対の差込具５は、取付ブラケット３および本体４の長手方向Ｘの両端に差し込まれている。
【００１８】
本体４は、取付ブラケット３に対向するベースケース８１と、透光性を有するアウターカバー８２とを有している。本体４は、全体として一方向に長い箱形状をなしている。図示しないが、本体４の内部には、光源、光源から光を発するための電気回路等が収容されている。
取付ブラケット３および差込具５は、例えば金属により形成され、本体４は、例えば合成樹脂材料により形成されているが、これらの部材の構成材は、これに限定されるものではなく、その他の硬質部材で形成されてもよい。
【００１９】
この実施形態では、警告灯１を、自動車の車体側面６（図３参照）の外側（以下、正面側Ｙともいう。）から取り付ける場合に則して説明する。また、この実施形態では、長尺の警告灯１の長手方向Ｘが左右に向くように取り付けられる場合を説明する。警告灯１において、長手方向Ｘの左右両端部は、互いに左右対象に構成されている。
先ず、取付ブラケット３について説明する。
【００２０】
図２は、取付ブラケット３の斜視図である。取付ブラケット３は、本体４のベースケース８１の底面４ａに対向する略長方形の面板１４と、この面板１４の各短辺に配置されておりこの面板１４の表面から正面側Ｙに突出した４つの嵌合用の突起１３と、面板１４の各短辺部からそれぞれ外へ向かって延びる平板状の肩部１５とを有している。
嵌合用の突起１３は、取付ブラケット３の長手方向Ｘに相対向する一端部１１および他端部１２に、それぞれ形成されている。嵌合用の突起１３は、肩部１５の両側に配置され、肩部１５の面方向に直交方向に立ち上がり、且つ外方へ曲成した一対のフック状突起を構成している。各突起１３は、面板１４に一体に形成されている。
【００２１】
また、取付ブラケット３の対向する一端部１１および他端部１２には、それぞれ、差込具５の係止用の凸部１６が形成されている。凸部１６は面板１４に一体に形成されている。
取付ブラケット３の面板１４には、複数の弾性舌片１７が形成されている。各弾性舌片１７は、取付ブラケット３の面板１４の一部が本体４に向かって切り起こされて形成されている。各弾性舌片１７は、面板１４の正面側Ｙの表面から突出し、面板１４に一体に形成されている。
【００２２】
取付ブラケット３の面板１４には、自動車の車体側面６の内側（以下、取付面側Ｙ２ともいう。）に向けて切り起こして形成された取付用の台座１８が設けられている。台座１８は、面板１４に一体に形成され、片持ち状に弾力的に支持されている。台座１８には、挿通孔１９が形成されている。
また、取付ブラケット３の面板１４の周縁部には、面板１４の湾曲を防止するためのリブ２０が設けられている。リブ２０は、面板１４の周縁部に沿う枠状に延びており、面板１４の表面から突出して面板１４に一体に形成されている。
【００２３】
図３は、車体側面６に固定された取付ブラケット３に本体４が取り付けられた状態の部分断面図である。図２および図３を参照して、取付ねじ２２が、台座１８の挿通孔１９に挿通されている。取付ねじ２２の雄ねじが、車体側面６に固定されたインサートナット４２の雌ねじ孔にねじ嵌合している。
本体４のベースケース８１の底面４ａは、取付ブラケット３に積層状態で取り付けられ、取付ブラケット３およびこれを車体側面６に固定するための台座１８や取付ねじ２２を覆っている。
【００２４】
取付ブラケット３の各弾性舌片１７は、弾性変形した状態で、本体４のベースケース８１の底面４ａと当接するようになっている。各弾性舌片１７は、ベースケース８１の底面４ａ側に向かって弾性押圧力を作用させることができる弾性体として機能する。
図４は、差込具５の斜視図であり、（ａ）および（ｂ）に互いに異なる視点からの斜視図を示す。差込具５は、板状の主体部３１と、主体部３１の表面から直交して突出する一対の突部３２と、これら突部３２とは逆向きに突出する一対の側壁部３３と、フック状の一対の支持部３５とを有している。
【００２５】
一対の突部３２は、後述する所定方向Ｕとしての上下方向に沿って並んでおり、取付ブラケット３に向けて突出している。一対の突部３２は、主体部３１の表面から正面側Ｙに向かって切り起こして形成され、主体部３１の面方向に直交方向に立ち上がり、且つ内方へ曲成した一対のフック状突起を構成している。
側壁部３３は、主体部３１の上下両端部からそれぞれ屈曲状に正面側Ｙに向けて立ち上がっている。一対の支持部３５は、側壁部３３と同側に向けて主体部３１から突出している。一対の支持部３５は、主体部３１から取付面側Ｙ２に向かって切り起こして形成され、主体部３１の面方向に直交方向に延びて構成されている。
【００２６】
差込具５には、当該差込具５が差し込まれた状態において、取付ブラケット３の係止用の凸部１６と係合する弾性を有する被係止部３８が備えられている。また、差込具５は、当該差込具５が差し込まれるときに被係止部３８を弾性変形させるための案内部３９を有している。
図５は、取付ブラケット３と差込具５との斜視図であり、これらが互いに取り付けられた状態を示す。差込具５は、取付ブラケット３の嵌合用の突起１３および本体４のベースケース８１の後述する係合凹部２６の係合位置に向かって差し込まれるものである。このときの差込方向は、後述する所定方向Ｕに対して直交方向に設定されている。差し込まれた差込具５は、嵌合用の突起１３および係合凹部２６の係合位置またはその近傍に配置される。
【００２７】
主体部３１は、取付ブラケット３の肩部１５に沿っており、取付ブラケット３と本体４のベースケース８１との間に介在している。
被係止部３８は、以下のように作用する。すなわち、差込具５を引き出す向きに所定の大きさ以下の外力が作用するときには、被係止部３８が弾性変形しても、被係止部３８と凸部１６との係合が維持されるようになっている。また、上述の所定の大きさを超える力で差込具５を引き抜くことができる。
【００２８】
案内部３９は、差込具５が差し込まれる方向に対して傾斜する傾斜面により形成されている。差込具５が差し込まれるときには、差込具５の案内部３９が凸部１６の第１の傾斜面４０に沿いながら、被係止部３８がスムーズに弾性変形する。そして、被係止部３８が凸部１６を乗り越えるようになっている。
また、差込具５の被係止部３８は、差込具５が差し込まれる方向に対して傾斜する傾斜面により形成されている。差込具５が抜き出されるときに、被係止部３８が凸部１６の第２の傾斜面４１に沿いながら、被係止部３８がスムーズに弾性変形する。そして、被係止部３８が凸部１６を乗り越えるようになっている。
【００２９】
差込具５の一対の突部３２は、当該差込具５が差し込まれた状態で、嵌合用の突起１３および係合凹部２６の係合が所定方向Ｕへずれるのを阻止するための抑制部として機能する。すなわち、各突部３２は、主体部３１から取付ブラケット３に向けて突出しており、取付ブラケット３の肩部１５の対応する側方１５ａと当接するようになっている。これにより、所定方向Ｕの両側の向きについての差込具５と取付ブラケット３との相対移動が、規制される。
【００３０】
図６は、警告灯１の要部の分解斜視図である。差込具５の側壁部３３は、当該差込具５が差し込まれた状態で、一対の突起３２および開口部３６の係合が所定方向Ｕへずれるのを阻止するための抑止部として機能する。すなわち、各側壁部３３に対応して、本体４のベースケース８１には、一対の係合溝３４が形成されている。係合溝３４は、取付面側Ｙ１および差込具５が差し込まれる方向である左右方向に開口しており、対応する差込具５の側壁部３３を受け入れることができるようになっている。差込具５が差し込まれた状態で、側壁部３３と係合溝３４とが互いに当接する。これにより、所定方向Ｕの両側の向きについての差込具５と本体４との相対移動が、規制される。
【００３１】
また、差込具５の一対の支持部３５は、差込具５が差し込まれた状態において、本体４のベースケース８１の開口部３６に係合し、本体４のベースケース８１の底面４ａ側から離れる方向へ差込具５が移動するのを防止する。開口部３６は、取付面側Ｙ１および差込具５が差し込まれる方向である左右方向に開口しており、対応する差込具５の支持部３５を受け入れることができるようになっている。各支持部３５が、本体４のベースケース８１の開口部３６に挿入された状態で、支持部３５と開口部３６とが前後方向に互いに当接できるようになっている。
【００３２】
図７は、本体４が取付ブラケット３に取り付けられた状態の部分断面斜視図である。ベースケース８１の底面４ａ側の一端２３および他端２４（図１参照）には、それぞれ、取付部９が形成されている。取付部９は、取付ブラケット３の取付面側Ｙ２に向けて、長手方向Ｘに長尺な凹状に開口しており、差込具５が差し込まれるようになっている。本体４のベースケース８１の底面４ａ側の一端２３および他端２４には、それぞれ、受入凹部２５が形成されている。受入凹部２５は、取付ブラケット３の取付面側Ｙ２に向けて開口しており、取付ブラケット３の嵌合用の突起１３を受け入れるようになっている。受入凹部２５は、４つの嵌合用の突起１３に対応して、一端２３および他端２４のそれぞれに２つずつの合計４箇所に形成されている。
【００３３】
本体４のベースケース８１の底面４ａ側の一端２３および他端２４には、それぞれ、係合凹部２６が形成されている。係合凹部２６は、一端２３および他端２４のそれぞれに２つずつの合計４箇所に形成されている。係合凹部２６は、受入凹部２５に連設されている。受入凹部２５の奥側の上部と、係合凹部２６の下部とが互いに連通している。
嵌合用の突起１３が受入凹部２５に受け入れられた後に（矢印Ｍ１）、本体４が取付ブラケット３に対して所定方向Ｕへ、具体的には、取付ブラケット３の面板１４に沿う下向きへ変位されることにより嵌合用の突起１３と係合凹部２６とが係合するようになっている（矢印Ｍ２）。この状態では、嵌合用の突起１３と係合凹部２６のそれぞれの対向面とが互いに当接することにより、本体４と取付ブラケット３とが前後方向に相対変位することが規制される。
【００３４】
図６を参照して、本体４を取付ブラケット３に取り付けるには、以下のようにすればよい。すなわち、取付面としての車体側面６に固定した取付ブラケット３に、本体４を位置合わせし、嵌合用の突起１３が受入凹部２５に入るように嵌める。そして、所定方向Ｕ、より具体的には、本体４側の長手方向Ｘに対する直交方向である下方に向けて、本体４をスライド変位させる。その後、差込具５を取付部９に左右方向に差し込む。
【００３５】
これら作業は、すべて正面側Ｙからの作業であり、取付ブラケット３に対し本体４を容易に取り付けることができる。また、取り外すには、逆の作業をすればよい。この実施形態では、取付ブラケット３に本体４を取り付けるために、嵌合用の突起１３と係合凹部２６と差込具５とを用いている。このため、本体４の取付ブラケット３への取付に取付用のボルトは不要で、本体４にボルト孔を形成する必要はない。従って、取付が容易であり、しかも、本体４をすっきりしたデザインにできる。
【００３６】
図２を参照して、この実施形態では、取付ブラケット３の一端部１１および他端部１２に設けられた複数のフック状の嵌合用の突起１３により本体４を安定して取り付けることができる。
また、嵌合用の突起１３として、肩部１５の両側に、一体に曲成した一対のフック状突起を用いている。この場合、簡素な構造のフック状突起１３および肩部１５を、本体４の取り付けに利用するため、製造コストを削減できる。
【００３７】
また、差込具５の一対の突部３２は、抑制部を単純な構造にできる。
差込具５が差し込まれた状態において、取付ブラケット３の係止用の凸部１６に、差込具５の被係止部３８が、弾性を持って係合するようにしている。この場合、被係止部３８の弾性を利用して、差込具５を取付ブラケット３に確実に係止することができる。
また、差込具５の支持部３５により、取付ブラケット３と本体４とをより確実に互いに取り付けることができる。
【００３８】
図３を参照して、取付ブラケット３に本体４が取り付けられた状態で、取付ブラケット３の面板１４の弾性体としての弾性舌片１７が、本体４のベースケース８１を押圧するので、取付ブラケット３と本体４とをがたつきなく互いに取り付けることができる。
また、弾性体が、取付ブラケット３の面板１４の一部が切り起こされて形成される弾性舌片１７の場合には、弾性体を簡素な構造で実現できる。
【００３９】
また、取付ブラケット３の面板１４の取付用の台座１８が、切り起こして形成されている。この構成によれば、取付ブラケット３の取り付け対象としての車体側面６がたとえ湾曲している場合でも、台座１８および本体４を取り付け対象に弾力的に確実に固定できる。
また、取付ブラケット３の面板１４の周縁部のリブ２０により、面板１４の湾曲を防止できるので、面板１４に対して本体４を安定して取り付けることができる。
【００４０】
図８は、この発明の他の実施形態に係る取付構造が採用された警告灯１０１の斜視図（組み立てた状態）である。
以下では、他の実施形態に係る取付構造について、図１〜図７に示した前述の実施形態の取付構造との相違点を中心に説明する。なお、それ以外の点については、本実施形態と前述の実施形態とでは同じである。両実施形態において互いに同じ構成については、互いに同じ名称および同じ符号を付して、本実施形態での説明を省略する。
【００４１】
図８を参照して、警告灯１０１と、前述した警告灯１とは、取付構造が異なっている。これに伴い、警告灯１０１を構成する各部品が異なっている。
警告灯１０１では、取付ブラケット１０３、本体１０４、差込具１０５および取付部１０９が、前述の取付ブラケット３、本体４、差込具５および取付部９に代えて用いられている。
【００４２】
本体１０４は、前述の本体４と比較して、取付構造の相違点の他に、ベースケース１８１と、アウターカバー１８２とが、前述したベースケース８１とアウターカバー８２とに代えて用いられている。
図９は、取付ブラケット１０３の斜視図である。取付ブラケット１０３は、２つの嵌合用の突起１３０を有している。取付ブラケット１０３の取付用の台座１８は、長手方向Ｘの外側において面板１４に弾性支持されている。取付ブラケット１０３では、弾性舌片１７が単一で設けられている。なお、取付ブラケット１０３では、前述した肩部１５、凸部１６およびリブ２０は廃止されている。
【００４３】
嵌合用の突起１３０は、取付ブラケット１０３の長手方向Ｘに相対向する一端部１１および他端部１２に、それぞれ１つずつ形成されている。２つの嵌合用の突起１３０は、取付ブラケット１０３の幅方向Ｚについて中心から同側にずれて配置されている。嵌合用の突起１３０は、フック状突起により構成されている。このフック状突起は、取付ブラケット１０３の面板１４から取付状態において本体１０４のある方向に立ち上がり、当該突起１３０の先端１３０ａが、立ち上がり方向とは直交して長手方向Ｘの外方へ向く交差方向へ曲成されている。
【００４４】
図１０は、差込具１０５の斜視図であり、（ａ）および（ｂ）に互いに異なる視点からの斜視図を示す。
差込具１０５は、平板状の頭部１５１と、この頭部１５１の一端から延びた棒状の胴体１５２と、胴体１５２の先端に屈曲状に設けられた腰部１５３と、腰部１５３から頭部１５１に向けて延びる弾性部１５４とを有している。頭部１５１と、胴体１５２と、腰部１５３と、弾性部１５４とは、単一部材により一体に形成されている。頭部１５１と、胴体１５２と、腰部１５３と、弾性部１５４とは、互いに面一の面を形成している。
【００４５】
頭部１５１は、差し込み操作および取り外し操作のための操作部として機能し、これらの操作のときにつまむことができる。頭部１５１は、Ｖ溝状の切欠き１５５を有している。この切欠き１５５は、差込具１０５を取付部１０９から取り外すときに、工具等を引っかける部分である。
腰部１５３は、胴体１５２の先端に設けられており、この先端から胴体１５２が延びる方向とは直交する方向に所定の突出量で突出している。
【００４６】
弾性部１５４は、胴体１５２に並設されており、頭部１５１側にある腰部１５３の端縁から頭部１５１の近傍にまで延びている。弾性部１５４は、波形をなしている。波形の第１頂部１５８と第２頂部１５９と底部１６０とが、胴体１５２が延びる方向に交互に並んでいる。波形が起伏する方向は、腰部１５３が胴体１５２から突出する方向に平行になっている。これにより、頭部１５１側にある弾性部１５４の先端が、波形が起伏する方向に弾性変形可能である。頭部１５１に最も近接した第２頂部１５９は、腰部１５３が突出する方向について、腰部１５３よりも突出している。当該第２頂部１５９に隣接した傾斜面に、取付部１０９に引っ掛かる引っかけ部１５６が設けられている。これにより、弾性部１５４は、当該差込具１０５が取付部１０９から反差込方向へ外れないように係止するための被係止部を構成している。
【００４７】
図１１は、警告灯１０１の要部の分解斜視図である。
本体１０４のベースケース１８１の底面４ａ側の一端２３および他端２４には、それぞれ、取付部１０９が形成されている。取付部１０９は、長手方向Ｘの外方に向けて開口する凹部であり、この内部に差込具１０５が差し込まれるようになっている。
本体１０４のベースケース１８１には、受入凹部２５および係合凹部２６が形成されている。受入凹部２５および係合凹部２６のそれぞれは、取付ブラケット１０３の２つの嵌合用の突起１３０に対応して、一端２３および他端２４のそれぞれに１つずつ形成されている。
【００４８】
本体１０４のベースケース１８１の下面４ａに取付ブラケット１０３が取り付けられる。このとき、嵌合用の突起１３０が受入凹部２５に受け入れられた後に（矢印Ｍ１）、本体１０４が取付ブラケット１０３に対して所定方向Ｕへ、具体的には、取付ブラケット１０３の面板１４に沿う下向きへ変位されることにより嵌合用の突起１３０と係合凹部２６とが係合するようになっている（矢印Ｍ２）。この状態で、取付部１０９に差込具１０５が差し込まれる（矢印Ｍ３）。このとき、胴体１５２が頭部１５１よりも先に差し込まれる。
【００４９】
図１２は、取付ブラケット１０３と本体１０４と差込具１０５との斜視図であり、これらが互いに取り付けられた状態を示し、本体１０４は断面表示されている。
取付部１０９の入口には、差込具１０５の頭部１５１が収容されている。頭部１５１の端面１５１ａのみが外部に臨んでいる。頭部１５１の切欠き１５５は取付部１０９の内面と対向している。これにより、差込具１０５が不用意に操作されることが防止される。
【００５０】
取付部１０９の入口よりも奥側には、差込具１０５の胴体１５２と、腰部１５３と、弾性部１５４とが収容されている。
長手方向Ｘについての取付部１０９の中間部１０９ａは、受入凹部２５の一部と互いに重なり合っており、受入凹部２５の奥側の上部において係合凹部２６の下部と互いに連通している。係合凹部２６に係合している嵌合用の突起１３０の側部１３０ｂが、取付部１０９に臨んで配置されており、取付部１０９に装着された差込具１０５の胴体１５２と接している。
【００５１】
胴体１５２は受入凹部２５を塞ぐようにして取付部１０９の奥部１０９ｂへ延びている。胴体１５２は、差込具１０５が差し込まれた状態において、嵌合用の突起１３０および係合凹部２６の係合が所定方向Ｕへずれるのを阻止するための抑制部として機能する。
これとともに、胴体１５２の先端は、所定方向Ｕに取付部１０９により受けられている。具体的には、腰部１５３の端面１５３ａが取付部１０９に当接する。これにより、嵌合用の突起１３０が前記所定方向Ｕにずれることが防止される。
【００５２】
弾性部１５４は、当該差込具１０５が反差込方向へ外れないように係止する。すなわち、弾性部１５４の引っかけ部１５６は、取付部１０９に設けられた係止用の凹部の縁の段部１５７に係止される。
差込具１０５を引き出す向きに所定の大きさ以下の外力が作用するときには、弾性部１５４が弾性変形しても、引っかけ部１５６と取付部１０９の段部１５７との係合が維持されるようになっている。また、上述の所定の大きさを超える力で差込具１０５を引き抜くことができる。
【００５３】
その他、特許請求の範囲に記載された事項の範囲で種々の設計変更を施すことが可能である。
【符号の説明】
【００５４】
１    警告灯
３    取付ブラケット
４    本体
４ａ    底面
５    差込具
６    車体側面（取付面）
９    取付部
１１    取付ブラケットの一端部
１２    取付ブラケットの他端部
１３    嵌合用の突起
１４    面板
１５    肩部
１５ａ    肩部の側方
１６    係止用の凸部
１７    弾性舌片（弾性体）
１８    台座
１９    挿通孔
２０    リブ
２２    取付ねじ
２３    本体の一端
２４    本体の他端
２５    受入凹部
２６    係合凹部
３１    主体部
３２    突部（抑制部）
３３    側壁部（抑止部）
３４    係合溝
３５    支持部
３６    開口部
３８    被係止部
３９    案内部
４０    凸部の第１の傾斜面
４１    凸部の第２の傾斜面
４２    インサートナット
８１    ベースケース
８２    アウターカバー
１０１    警告灯
１０３    取付ブラケット
１０４    本体
１０５    差込具
１０９    取付部
１０９ａ    中間部
１０９ｂ    奥部
１３０    嵌合用の突起
１３０ａ    先端
１３０ｂ    側部
１５１    頭部
１５１ａ    端面
１５２    胴体
１５３    腰部
１５３ａ    端面
１５４    弾性部
１５５    切欠き
１５６    引っかけ部（被係止部）
１５７    段部
１５８    第１頂部
１５９    第２頂部
１６０    底部
１８１    ベースケース
１８２    アウターカバー
Ｕ    所定方向
Ｘ    長手方向
Ｙ    正面側
Ｙ２    取付面側
Ｚ    幅方向
【図１】
0005725348.tif 000002
【図２】
0005725348.tif 000003
【図３】
0005725348.tif 000004
【図４】
0005725348.tif 000005
【図５】
0005725348.tif 000006
【図６】
0005725348.tif 000007
【図７】
0005725348.tif 000008
【図８】
0005725348.tif 000009
【図９】
0005725348.tif 000010
【図１０】
0005725348.tif 000011
【図１１】
0005725348.tif 000012
【図１２】
0005725348.tif 000013